(57)【要約】      （修正有）【課題】小型の筺体構造であっても十分な冷却性能を担保した冷却ユニット、冷却装置、及び投写型映像表示装置を提供する。【解決手段】外部から冷却風を吸入する吸気口２１２Ａと、前記冷却風を外部へ排出する排気口２１３Ａと、を備える冷却ユニットであって、前記吸気口２１２Ａと前記排気口２１３Ａを繋ぐ空気流路は、折り返し形状を成し、前記吸気口２１２Ａからの往路と排気２１３Ａ口への復路が互いに隣接する。【選択図】図１
2012185387.tif 000002
【特許請求の範囲】
【請求項１】
外部から冷却風を吸入する吸気口と、
前記冷却風を外部へ排出する排気口と、を備える冷却ユニットであって、
前記吸気口と前記排気口を繋ぐ空気流路は、折り返し形状を成し、前記吸気口からの往路と排気口への復路が互いに隣接することを特徴とする冷却ユニット。
【請求項２】
請求項１に記載の冷却ユニットにおいて、
前記往路及び前記復路にそれぞれ少なくとも１つ放熱部材を配置することを特徴とする冷却ユニット。
【請求項３】
請求項２に記載の冷却ユニットにおいて、
前記吸気口から前記排気口までの前記空気流路、及び前記放熱部材は、ダクトで覆われていることを特徴とする冷却ユニット。
【請求項４】
請求項１に記載の冷却ユニットと、
前記冷却ユニットとは異なる他の冷却ユニットと、を備える冷却装置において、
前記冷却ユニットの排気口の向きと前記他の冷却ユニットの排気口の向きが同一方向であることを特徴とする冷却装置。
【請求項５】
請求項４に記載の冷却装置において、
前記冷却ユニットに配され、冷却風を吸気又は排気するための冷却ファンと、
前記他の冷却ユニットに配され、冷却風を吸気又は排気するための他の冷却ファンと、をさらに備え、
前記冷却ファンと前記他の冷却ファンは、それぞれ対角の位置に設けられることを特徴とする冷却装置。
【請求項６】
請求項１乃至請求項３に記載の冷却ユニットを備えることを特徴とする投写型映像表示装置。
【請求項７】
請求項４又は請求項５に記載の冷却装置を備えることを特徴とする投写型映像表示装置。
【発明の詳細な説明】
【技術分野】
【０００１】
本発明は、放熱フィンを有する冷却ユニット、冷却装置、及び投写型映像表示装置に関する。
【背景技術】
【０００２】
従来、照明光学系から出射される光を投写面上に投写する投写光学系を有する投写型映像表示装置が知られている。照明光学系は、例えば、ＬＥＤ（Ｌｉｇｈｔ  Ｅｍｉｔｔｉｎｇ  Ｄｉｏｄｅ）などの光源と、光源から出射された光を変調する光変調素子とを含む。投写光学系は、例えば、照明光学系からの変調光をスクリーンに投写するための投写レンズなどを含む。また、投写型映像表示装置は、光源などの熱源を冷却するヒートシンクなどの冷却ユニットを有する。（例えば、特許文献１）
特許文献１の例では、ヒートシンクは、赤色、緑色、青色の各光源の近くに配されており、各光源は光合成部を中心として十字の方向の特定の３方向に配されている。吸気口から吸気された冷却風は、各ヒートシンクを冷却することにより各光源などの熱源から熱を奪う。従って、吸気口から吸気された冷却風は、投写型映像表示装置内の外周全体を流通しながら複数のヒートシンクを冷却し、吸気口から離れた位置に存在する排気口で排気される。
【先行技術文献】
【特許文献】
【０００３】
【特許文献１】特開２００５−２５７８７３号公報
【発明の概要】
【発明が解決しようとする課題】
【０００４】
しかしながら、上記の例では、吸気口から吸気された冷却風は、投写型映像表示装置内の外周全体を流通しながら複数のヒートシンクを冷却する。このような構成では、冷却風が移動する流路を投写型映像表示装置全体に巡らす必要があり、投写型映像表示装置の大型化する。従って、小型の筺体構造を製造する上では大きな問題となる。そこで、本発明は、上述した課題を解決するためになされたものであり、小型の筺体構造であっても十分な冷却性能を担保した冷却ユニット、冷却装置、及び投写型映像表示装置を提供することを目的とする。
【課題を解決するための手段】
【０００５】
第１の特徴に係る冷却ユニット（第２冷却ユニット７２０）は、外部から冷却風を吸入する吸気口（吸気口２１２Ａ）と、前記冷却風を外部へ排出する排気口（排気口２１３Ａ）と、を備える冷却ユニット（第２冷却ユニット７２０）である。前記吸気口（吸気口２１２Ａ）と前記排気口（排気口２１３Ａ）を繋ぐ空気流路は、折り返し形状を成し、前記吸気口（吸気口２１２Ａ）からの往路と排気口（排気口２１３Ａ）への復路が互いに隣接することを特徴とする。
【０００６】
第１の特徴において、前記往路及び前記復路にそれぞれ少なくとも１つ放熱部材（放熱フィン４３０）を配置することを特徴とする。
第１の特徴において、前記吸気口（吸気口２１２Ａ）から前記排気口（排気口２１３Ａ）までの前記空気流路、及び前記放熱部材（放熱フィン４３０）は、ダクト（ダクト３１２Ａ）で覆われていることを特徴とする。
【０００７】
第１の特徴において、前記冷却ユニット（第２冷却ユニット７２０）とは異なる他の冷却ユニット（第１冷却ユニット７１０）と、を備える冷却装置（冷却装置７００）である。  前記冷却ユニット（第２冷却ユニット７２０）の排気口（排気口２１３Ａ）の向きと前記他の冷却ユニット（第１冷却ユニット７１０）の排気口（排気口２１３Ｂ）の向きが同一方向であることを特徴とする。
【０００８】
第１の特徴において、前記冷却ユニット（第２冷却ユニット７２０）に配され、冷却風を吸気又は排気するための冷却ファン（ファン３１１Ａ）と、  前記他の冷却ユニット（第１冷却ユニット７１０）に配され、冷却風を吸気又は排気するための他の冷却ファン（ファン３１１Ｂ）と、をさらに備える。前記冷却ファン（ファン３１１Ａ）と前記他の冷却ファン（ファン３１１Ｂ）は、それぞれ対角の位置に設けられることを特徴とする。
第２の特徴に係る投写型映像表示装置は、第１の特徴に係る冷却ユニット（第２冷却ユニット７２０）又は冷却装置（７００）を備える。
【発明の効果】
【０００９】
小型の筺体構造であっても十分な冷却性能を担保した冷却ユニット、冷却装置、及び投写型映像表示装置を提供することができる。
【図面の簡単な説明】
【００１０】
【図１】第１実施形態に係る投写型映像表示装置１００（床面投写）の側面図である。
【図２】第１実施形態に係る投写型映像表示装置１００（壁面投写）の側面図である。
【図３】第１実施形態に係る投写型映像表示装置１００の正面図である。
【図４】第１実施形態に係る投写型映像表示装置１００の斜め上方から正面を見た斜視図である。
【図５】第１実施形態に係る投写型映像表示装置１００の斜め下方から下面を見た斜視図である。
【図６】第１実施形態に係る冷却部４００Ｇ及び冷却部４００Ｂの詳細を示す図である。
【図７】第１実施形態に係る冷却装置７００の詳細を示す図である。
【図８】第１実施形態に係る投写ユニット５０の詳細を示す図である。
【図９】第１実施形態に係る第２冷却ユニット７２０の詳細を示す図である。
【発明を実施するための形態】
【００１１】
以下において、本発明の実施形態に係る投写型映像表示装置について、図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態の概要］
実施形態に係る冷却ユニットは、外部から冷却風を吸入する吸気口と、冷却風を外部へ排出する排気口を備える。吸気口と排気口を繋ぐ空気流路は、折り返し形状を成し、吸気口からの往路と排気口への復路が互いに隣接するように設けられる。
【００１４】
実施形態では、吸気口と排気口を繋ぐ空気流路が折り返し形状を成し、吸気口からの往路と排気口への復路が互いに隣接するように設けられる。従って、空気流路が設置する面積を小さくすることができ、冷却性能を担保しながら冷却ユニット全体を小型にすることができる。
【００１５】
［第１実施形態］
（投写型映像表示装置の概略）
以下において、第１実施形態に係る投写型映像表示装置の概略について、図面を参照しながら説明する。図１は、第１実施形態に係る投写型映像表示装置１００（床面投写）の側面図である。図２は、第１実施形態に係る投写型映像表示装置１００（壁面投写）の側面図である。  図３は、第１実施形態に係る投写型映像表示装置１００の正面図である。
【００１６】
ここで、図１を参照して紙面上、上部に配置される面を上面、下部に配置される面（設置面）を下面、右側に配置される面を正面、左側に配置される面を背面、手前側に配置される面を左側面、奥側に配置される面を右側面と定義する。
【００１７】
図１及び図２に示すように、投写型映像表示装置１００は、筐体２００を有しており、投写面に映像を投写する。投写面は、図１に示すように、床面に設けられていてもよく、図２に示すように、壁面に設けられてもよい。
【００１８】
なお、筐体２００には、映像光を透過する透過領域２１１が設けられている。投写型映像表示装置１００から投写される映像光は、透過領域２１１近傍で一度集光された後、投写面へ向けて拡大投写される（図１及び図２の透過領域２１１を通る矢印参照）。筐体２００には、吸気口２１２（吸気口２１２Ａ及び吸気口２１２Ｂ）及び排気口２１３（排気口２１３Ａ及び排気口２１３Ｂ）が設けられている。
【００１９】
図１乃至図３に示すように吸気口２１２Ａは、筺体２００の左側面上の下面及び正面近傍に設けられている。吸気口２１２Ｂは、筺体２００の右側面上の上面及び背面近傍に設けられている。排気口２１３Ａは、筺体２００の左側面上の下面及び背面近傍に設けられている。排気口２１３Ｂは、筺体２００の左側面上の下面及び正面近傍に設けられている。
【００２０】
従って、排気口２１３（排気口２１３Ａ及び排気口２１３Ｂ）は、筺体２００の左側面に設けられ、排気口の向きが同一方向と成るように設けられる。
【００２１】
（投写型映像表示装置の詳細）
以下において、第１実施形態に係る投写型映像表示装置の詳細について、図面を参照しながら説明する。図４及び図５は、投写型映像表示装置１００の詳細を示す図である。図４は、投写型映像表示装置１００の斜め上方から正面を見た斜視図である。図５は、投写型映像表示装置１００の斜め下方から下面を見た斜視図である。なお、図４及び図５では、投写型映像表示装置１００の内部構成が示されている。
【００２２】
図４及び図５に示すように、投写型映像表示装置１００は、光源１０（光源１０Ｒ、光源１０Ｇ、及び光源１０Ｂ）と、クロスダイクロイックミラー２０と、折り返しミラー３０と、ＤＭＤ（Ｄｉｇｉｔａｌ  Ｍｉｃｒｏｍｉｒｒｏｒ  Ｄｅｖｉｃｅ）４０と、投写ユニット５０とを有する。
【００２３】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｇは、緑成分光Ｇを出射する光源であり、例えば、緑ＬＥＤや緑ＬＤである。光源１０Ｂは、青成分光Ｂを出射する光源であり、例えば、青ＬＥＤや青ＬＤである。
【００２４】
クロスダイクロイックミラー２０は、光源１０Ｇから出射される緑成分光Ｇを透過し、光源１０Ｂ及び光源１０Ｒから出射される青成分光Ｂ及び赤成分光Ｒを反射し、折り返しミラー３０へ赤成分光Ｒ、緑成分光Ｇ、及び青成分光Ｂを導く。
【００２５】
クロスダイクロイックミラー２０は、光源１０Ｇから出射される緑成分光Ｇを透過し、光源１０Ｂ及び光源１０Ｒから出射される青成分光Ｂ及び赤成分光Ｒを反射し、折り返しミラー３０へ赤成分光Ｒ、緑成分光Ｇ、及び青成分光Ｂを導く。クロスダイクロイックミラー２０は、光源１０Ｂを反射するダイクロイックミラーに対して、光源１０Ｒを反射するダイクロイックミラーは、一直線上には取りつけられずにずらして取り付けられる。このことにより、クロス形状で一直線上に取り付けられるダイクロイックミラーと比較して、各ダイクロイックミラーが接合される接合面における光源１０Ｇの光の透過率を向上させることができる。
【００２６】
折り返しミラー３０は、クロスダイクロイックミラー２０から出射された赤成分光Ｒ、緑成分光Ｇ、及び青成分光ＢをＤＭＤ４０側に反射する。
【００２７】
ＤＭＤ４０は、複数の微小ミラーによって構成されており、複数の微小ミラーは可動式である。ＤＭＤ４０は、各微小ミラーの角度を変更することによって、折り返しミラー３０で反射された光を投写ユニット５０へ反射するか否かを切り替える。
【００２８】
ここで、ＤＭＤ４０の中心は、図８に示すように投写ユニット５０の光軸からシフトしていることに留意すべきである。
【００２９】
投写ユニット５０は、ＤＭＤ４０から出射される映像光を投写面に投写する。例えば、投写ユニット５０は、投写レンズ群５１と、反射ミラー５２とを有する。
【００３０】
投写レンズ群５１は、ＤＭＤ４０から出射される映像光を反射ミラー５２側に出射する。投写レンズ群５１は、投写ユニット５０の光軸を中心とする円形形状のレンズなどを含む。
【００３１】
なお、投写ユニット５０に含まれるレンズの径は、反射ミラー５２に近いほど大きいことに留意すべきである。また、反射ミラー５２は、投写ユニット５０に含まれるレンズの径よりも大きいことに留意すべきである。
【００３２】
反射ミラー５２は、投写レンズ群５１から出射された映像光を投写面側に反射する。反射ミラー５２は、例えば、ＤＭＤ４０側に凹面を有する非球面ミラーである。
【００３３】
投写型映像表示装置１００は、ファン３１１（ファン３１１Ａ及びファン３１１Ｂと、ダクト３１２（ダクト３１２Ａ及びダクト３１２Ｂ）とを有する。
【００３４】
ファン３１１は、ダクト３１２によって形成される空気流路内において、吸気口２１２から排気口２１３への空気流を発生させる。具体的には、ファン３１１Ａは、筐体２００の外部の空気を吸気口２１２Ａからダクト３１２Ａの内部に冷却風として導くファンである。ファン３１１Ｂは、筐体２００の外部の空気を吸気口２１２Ｂからダクト３１２Ｂの内部に冷却風として導くファンである。ファン３１１Ａは、筺体２００の左側面上の下面及び正面近傍に設けられ、ファン３１１Ｂは、筺体２００の右側面上の上面及び背面近傍に設けられる（図４参照）。従って、ファン３１１Ａとファン３１１Ｂは、それぞれ対角の位置に設けられる。
【００３５】
ダクト３１２は、吸気口２１２から排気口２１３への空気流路を形成する。具体的には、ダクト３１２Ａは、吸気口２１２Ａから排気口２１３Ａへの空気流路の一部を形成する。また、ダクト３１２Ｂは、吸気口２１２Ｂから排気口２１３Ｂへの空気流路の全部を形成する。なお、ダクト３１２Ａは、空気流路の一部を形成するが空気流路の全部を形成してもよい。また、ダクト３１２Ａは、ダクトとして空気流路の全部を形成しなくても空気流との一部を形成するダクト３１２Ａと筺体２００の内壁と後述する隔壁６１０（図９参照）により、空気流路全体を覆うダクト機能を果たしてもよい。また、ダクト３１２Ｂは、空気流路の全部を形成するが空気流路の一部を形成してもよい。
【００３６】
投写型映像表示装置１００は、冷却部４００（冷却部４００Ｒ、冷却部４００Ｇ、冷却部４００Ｂ、冷却部４００Ｘ、冷却部４００Ｙ）を有する。
【００３７】
冷却部４００Ｒは、光源１０Ｒを冷却する。第１実施形態では、冷却部４００Ｒは、放熱フィン４３０Ｒである。
【００３８】
冷却部４００Ｇは、光源１０Ｇを冷却する。冷却部４００Ｇは、受熱部４１０Ｇと、ヒートパイプ４２０Ｇと、放熱フィン４３０Ｇを有する。
【００３９】
冷却部４００Ｂは、光源１０Ｂを冷却する。冷却部４００Ｂは、受熱部４１０Ｂと、ヒートパイプ４２０Ｂと、放熱フィン４３０Ｂを有する。
【００４０】
冷却部４００Ｘは、ＤＭＤ４０を冷却する。第１実施形態では、冷却部４００Ｘは、放熱フィン４３０Ｘである。
【００４１】
冷却部４００Ｙは、光源１０を駆動するドライバ基板５００（図５を参照）を冷却する。第１実施形態では、冷却部４００Ｙは、放熱フィン４３０Ｙである。
【００４２】
図６は、第１実施形態に係る冷却部４００Ｇ及び冷却部４００Ｂの詳細を示す図である。
【００４３】
図６に示すように、冷却部４００Ｇ及び冷却部４００Ｂは、受熱部４１０Ｇ及び受熱部４１０Ｂと、ヒートパイプ４２０Ｇ及びヒートパイプ４２０Ｂと、放熱フィン４３０Ｇ及び放熱フィン４３０Ｂとを有する。
【００４４】
受熱部４１０Ｇ及び受熱部４１０Ｂは、光源１０Ｂ及び光源１０Ｇを熱源として熱を受け取る。ヒートパイプ４２０Ｇ及びヒートパイプ４２０Ｂは、放熱フィン４３０Ｇ及び放熱フィン４３０Ｂに熱を伝達する。放熱フィン４３０Ｇ及び放熱フィン４３０Ｂは、冷却風の空気流路上に配置される。
【００４５】
すなわち、受熱部４１０Ｇが光源１０Ｇの熱を受け取り、ヒートパイプ４２０Ｇが光源１０Ｇの熱を放熱フィン４３０Ｇに伝達する。同様に、受熱部４１０Ｂが光源１０Ｂの熱を受け取り、ヒートパイプ４２０Ｂが光源１０Ｂの熱を放熱フィン４３０Ｂに伝達する。
【００４６】
なお、冷却部４００Ｇ、冷却部４００Ｂ、ダクト３１２Ｂ、及びファン３１１Ｂ（以下、上記集合体において第１冷却ユニット７１０と称す）の詳細は、図６乃至図７にて後述する。冷却部４００Ｒ、冷却部４００Ｘ、冷却部４００Ｙ、ダクト３１２Ａ、及びファン３１１Ａ（以下、上記集合体において第２冷却ユニット７２０と称す）の詳細は、図９にて後述する。
【００４７】
（第１冷却ユニットの詳細）
以下において、第１実施形態に係る第１冷却ユニット７１０の詳細について、図面を参照しながら説明する。
【００４８】
図７は、図６で示した冷却部４００Ｇ及び冷却部４００Ｂに加えてファン３１１Ｂ及びダクト３１２Ｂを含む第１冷却ユニット７１０及び後述する第２冷却ユニット７２０の詳細を示す図である。尚、第１実施形態では、第１冷却ユニット７１０と第２冷却ユニット７２０を含めて冷却装置７００と称する。
【００４９】
ファン３１１Ｂは、シロッコファンである。ファン３１１Ｂは、筺体２００の吸気口２１２Ｂから冷却風を筺体２００の内部へ導く。ファン３１１Ｂの吐き出し口にはダクト３１２Ｂが連結されている。
【００５０】
ダクト３１２Ｂは、ファン３１１Ｂから導かれた冷却風を冷却部４００Ｇ及び冷却部４００Ｂへ導く空気流路である。ファン３１１Ｂと冷却部４００Ｇ及び冷却部４００Ｂの間には投写ユニット５０が設けられている（図４参照）。投写レンズ群５１に含まれるレンズの径は、反射ミラー５２に近いほど大きい。また、反射ミラー５２は、投写レンズ群５１よりも筺体２００の背面側に設けられる。従って、図８に示すように、反射ミラー５２と投写レンズ群５１が設けられる位置の違いから生じる間隙部６００を有すこととなる。すなわち、間隙部６００は、ＤＭＤ４０の中心を通る光軸が投写レンズ群５１の中心を通る光軸に対してシフトしていることにより、投写レンズ群５１から出射される光が傾斜し、この傾斜量により反射ミラー５２が投写レンズの光軸に対してシフトし、投写ユニット５０と筺体２００の間に間隙部６００が発生する。ダクト３１２Ｂは、間隙部６００を通るように形成されており、冷却風を放熱フィン４３０Ｇ及び放熱フィン４３０Ｂへ導くための空気流路を形成する。
【００５１】
なお、ファン３１１Ｂは、吸気口２１２Ｂの近傍に配置され、吸気用ファンとして作用するがこれに限定されるものではない。例えば、排気口２１３Ｂの近傍に配置され、排気ファンとして作用してもよいものとする。排気ファンであればシロッコファンに代わり軸流ファンでもよい。
【００５２】
（第２冷却ユニットの詳細）
以下において、第１実施形態に係る第２冷却ユニット７２０の詳細について、図面を参照しながら説明する。図９は、第１実施形態に係る冷却部４００Ｒ、冷却部４００Ｘ、冷却部４００Ｙ、及びダクト３１２Ａを含む第２冷却ユニット７２０の詳細を示す図である。
【００５３】
ファン３１１Ａは、軸流ファンである。ファン３１１Ａは、筺体２００の吸気口２１２Ａから冷却風を筺体２００の内部へ導く。ファン３１１Ａの吹出口には放熱フィン４３０Ｒが設けられる。
【００５４】
放熱フィン４３０Ｒは、ファン３１１Ａから導かれた冷却風により光源１０Ｒの熱を放熱する。放熱に使用した冷却風は、放熱フィン４３０Ｒの吹出口に設けられた放熱フィン４３０Ｘに導かれる。放熱フィン４３０Ｒは、冷却風の進行方向に対して平行になるように複数の放熱フィンが設けられる。
【００５５】
放熱フィン４３０Ｘは、放熱フィン４３０Ｒから導かれた冷却風によりＤＭＤ４０の熱を放熱する。放熱に使用した冷却風は、放熱フィン４３０Ｘの吹出口に設けられたダクト３１２Ａに導かれる。  放熱フィン４３０Ｘは、冷却風の進行方向に対して平行になるように複数の放熱フィンが設けられる。なお、放熱フィン４３０Ｒ及び放熱フィン４３０Ｘが設けられる空気流路は、往路と称する。
【００５６】
ダクト３１２Ａは、放熱フィン４３０Ｘから導かれた冷却風の進行方向をＵ字状に折り曲げ、１８０°進行方向を反転する。ダクト３１２Ａは、ダクト３１２Ａの吹出口に設けられた放熱フィン４３０Ｙに冷却風を導く。ダクト３１２Ａの吹入口及び吹出口近傍の角は、曲面を有しており、冷却風の進行方向の変更を容易にしている。
【００５７】
放熱フィン４３０Ｙは、ダクト３１２Ａから導かれた冷却風によりドライバ基板５００の熱を放熱し、放熱フィン４３０Ｙの吹出口に設けられた筐体２００の排出口２１３Ａから筐体２００の外部に冷却風を排出する。放熱フィン４３０Ｙは、冷却風の進行方向に対して平行になるように複数の放熱フィンが設けられる。なお、放熱フィン４３０Ｙが設けられる空気流路は、復路と称する。
【００５８】
放熱フィン４３０Ｒ、４３０Ｘと放熱フィン４３０Ｙとの間には冷却風の漏れを防止するための隔壁６１０が設けられる。隔壁６１０により放熱フィン４３０Ｒ、４３０Ｘから放熱フィン４３０Ｙへ直接冷却風が侵入することを防止する。
【００５９】
なお、ファン３１１Ａは、吸気口２１２Ａの近傍に配置され、吸気用ファンとして作用するがこれに限定されるものではない。例えば、排気口２１３Ａの近傍に配置され、排気ファンとして作用してもよいものとする。
【００６０】
なお、第１実施形態では、図９に示すような折り返し形状の冷却ユニットを例に示したがこれに限るものではなく、第１実施形態の折り返し形状の冷却ユニットを２つ連結させてＳ字形状の冷却ユニットとしてもよいものである。また折り返し形状の冷却ユニットを２つ以上連結させてもよいことは当然である。
【００６１】
（作用及び効果）
第１実施形態では、吸気口２１２Ａと排気口２１３Ａを繋ぐ空気流路は、折り返し形状を成し、吸気口２１２Ａからの往路と排気口２１３Ａへの復路が互いに隣接する。従って、空気流路により必要と成る設置面積を小さくすることができ、冷却性能を担保しながら冷却ユニット全体を小型にすることができる。
【００６２】
第１実施形態では、往路及び復路にそれぞれ少なくとも１つ放熱フィンを配置する。従って、往路及び復路を有効に活用して空気流路上に放熱フィンを密集させて設けることができ、冷却ユニットを小型化することができる。
【００６３】
第１実施形態では、吸気口２１２Ａ又は吸気口２１２Ｂから排気口２１３Ａ又は排気口２１３Ｂまでの空気流路及び放熱フィンは、ダクト３１２Ａ（ダクト３１２Ａ、筺体２００の内壁、及び隔壁６１０によるダクト機能も含む）又は３１２Ｂで覆われていてもよい。従って、空気流路を流れる冷却風をダクト３１２Ａ又は３１２Ｂから逃すことがないため、冷却ユニットの冷却効率を向上させることができる。
【００６４】
第１実施形態では、第１冷却ユニット７１０の排気口２１３Ｂと第２冷却ユニット７２０の排気口２１３Ａの排出方向が同一方向である。従って、投写型映像表示装置から暖められた冷却風を排出する際、使用者に暖められた冷却風が当たることを回避させることが容易となる。
【００６５】
第1実施形態では、ファン３１１Ａとファン３１１Ｂは、それぞれ対角の位置に設けられる。従って、発生するファンの動作音を特定の方向に集中させることが無いため、過大な動作音による使用者の不快感を緩和させることができる。
【００６６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６７】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型又は透過型の液晶パネルであってもよい。
【符号の説明】
【００６８】
１０（１０Ｒ，１０Ｇ，１０Ｂ）…光源、２０…クロスダイクロイックミラー、３０…折り返しミラー、４０…ＤＭＤ、５０…投写ユニット、５１…投写レンズ群、５２…反射ミラー、１００…投写型映像表示装置、２００…筐体、２１１…透過領域、２１２（２１２Ａ、２１２Ｂ）…吸気口、２１３（２１３Ａ，２１３Ｂ）…排気口、３１１（３１１Ａ，３１１Ｂ）…ファン、３１２（３１２Ａ，３１２Ｂ）…ダクト、４００（４００Ｒ、４００Ｇ、４００Ｂ、４００Ｘ、４００Ｙ）…冷却部、４１０…受熱部、４２０…ヒートパイプ、４３０（４３０Ｒ、４３０Ｇ、４３０Ｂ、４３０Ｘ、４３０Ｙ）…放熱フィン、６００…間隙部、６１０…隔壁、７００…冷却装置、７１０…第１冷却ユニット、７２０…第２冷却ユニット、
【図１】
2012185387.tif 000003
【図２】
2012185387.tif 000004
【図３】
2012185387.tif 000005
【図４】
2012185387.tif 000006
【図５】
2012185387.tif 000007
【図６】
2012185387.tif 000008
【図７】
2012185387.tif 000009
【図８】
2012185387.tif 000010
【図９】
2012185387.tif 000011